(57)【要約】      （修正有）【課題】車両金属床面あるいは覆工板への剥離のおそれのない樹脂コーティング方法および樹脂コーティング金属板の提供。【解決手段】車両金属床面あるいは覆工板１の上面に、孔５等の多数の空所あるいは多数の凹凸を有する下地金属材２を重ね、適宜箇所を固定し、その上に、プライマー６を塗布した後に、熱硬化性の樹脂４をコーティングして空所等に浸入させて、樹脂と金属材を一体化させてなりてなる、剥離等のおそれのない樹脂コーティング施工方法およびその金属板。【選択図】図１
2020127907.tif 000002
【特許請求の範囲】
【請求項１】
施工面に、孔等の多数の空所あるいは多数の凹凸を有する下地金属材を重ね、適宜箇所を固定し、
前記下地金属材３の上に、熱硬化性の樹脂を、塗布、スパッタリング、真空蒸着等でコーティングし、
これらの樹脂を、下地金属材の表面に積層させるとともに、下地金属材の空所、凹所あるいは間隙に浸入させ、下地金属材と一体化させる、
前記工程からなる堅固な接着が保証され、まったく剥離等のおそれのない樹脂コーティング施工方法。
【請求項２】
下地金属材が、一定の空隙率を有する孔の空いたパンチングメタル、網目模様に空隙を有するエクスパンドメタル、凹凸を有する異形金属板、表面に凹凸、節あるいはコイル状のねじりを有する異形鉄筋棒であることを特徴とする請求項１に記載の樹脂コーティング施工方法。
【請求項３】
使用される樹脂が、エポキシ樹脂、ウレタン樹脂、ウレアウレタン樹脂、ポリウレア樹脂であることを特徴とする請求項１あるいは２に記載の樹脂コーティング施工方法。
【請求項４】
熱硬化性の樹脂を、孔等の多数の空所あるいは多数の凹凸を有する金属材にコーティングし、前記空所等に浸入させて樹脂と金属材を一体化させてなり、車両金属床面あるいは覆工板に固定する樹脂コーティングした金属板。
【発明の詳細な説明】
【技術分野】
【０００１】
本発明は、車両荷台の金属製床あるいは覆工板への樹脂コーティング方法および樹脂コーティング金属材に関するものである。
【背景技術】
【０００２】
建築現場で使用される覆工板あるいは運搬車両の荷台等は、耐摩耗、防蝕、強度強化、保護等のために樹脂コーティングされている。
樹脂コーティングは、まず、木材あるいは金属の表面を研磨し、脱脂処理し、プライマーを塗布して接着性を高めた後に、このプライマー層に、エポキシ等の樹脂を塗布している。
【先行技術文献】
【特許文献】
【０００３】
【特許文献１】特開２０１０−２４１４００号公報
【発明の概要】
【発明が解決しようとする課題】
【０００４】
従来の樹脂コーティング方法では、施工対象面の木材や金属板と塗布する樹脂とは一見接着している外観を呈するが、両社の熱膨張係数の相違から、および木材や金属板と樹脂との弾性係数の相違から、温冷の繰り替えされる気候条件下で長期的には両者間の剥離が生じやすい。また樹脂硬化後の熱収縮による剥離が生じることも問題となっている。
【０００５】
また、特に金属板の上に樹脂が塗布されている場合は、ピンポイントに衝撃が加わる場合、金属と樹脂の弾性係数の違いから、その衝撃の加わった部分の剥離が起こりやすい。
【課題を解決するための手段】
【０００６】
そこで、本発明は、樹脂の塗布を行う対象金属板の上に、多数の孔を有する下地金属材を重ねて配置して固定し、その上にポリウレア樹脂等からなるコーティング層を塗布することによって、樹脂コーティング層の剥離や、すべりを防止できるようにした。
【０００７】
上に重ねる別の下地金属材としては、適宜必要な空隙率を有するものを採択できる。孔の空いたパンチングメタル、網目模様のエクスパンドメタル、凹凸を有する金属板、異形鉄筋バー等が挙げられる。
【０００８】
下地金属材の施工対象金属板への固定方法としては、溶接、アンカー止め、リベット締め、外周を同時に固定するアンカー止め等が挙げられる。
塗布する樹脂としては、エポキシ樹脂、ウレタン樹脂、ウレアウレタン樹脂、ポリウレア樹脂等が挙げられる。
【発明の効果】
【０００９】
本発明は、樹脂の塗布を行う対象金属板の上に、多数の孔を有する別の下地金属材を重ねて固定し、その上にプライマーを塗布してから、ポリウレア樹脂等からなるコーティング層を塗布することで、樹脂コーティング層と塗布対象の金属床面間との接着性が強力となり、さらに樹脂が下地金属材の空隙内に浸入するので樹脂の剥離がなくなる。
【００１０】
ピンポイントで衝撃を受けても、樹脂が異形下地金属材の孔の中に浸入し一体化しているので、衝撃は点で受けるのではなくはなく一体化されたコーティング層の一定幅の面で受けるようになり、衝撃が弱められ剥離のおそれがなくなる。
【００１１】
従来は、接着力を強めるために、施工面の表面をサンディング、ブラスト等により研磨して表面の凹凸をならす不陸処理、それから接着性を良好にするための脱脂処理、さらには金属専用のプライマーを塗布して接着性を高める必要があったが、本発明によれば、施工金属面にさらに下地金属材を、溶接、アンカー止め、リベット等の物理的処理により固定するので、従来行われていたような下地処理、不陸処理の必要がなくなり作業手間が大幅に減少でき、また樹脂との一体化が強固なものとできる。
【図面の簡単な説明】
【００１２】
【図１】本発明の金属板への樹脂の塗布の実施形態を示す斜視図。
【図２】本発明で使用する下地金属材の例を示す図。
【図３】本発明の樹脂コーティングした金属板
【発明を実施するための形態】
【００１３】
次に、本発明の実施の形態を図面に示す実施例に従って説明する。
本発明の施工手順は、まず施工対象となる車両金属床面１あるいは覆工板上に、下地金属材２を重ねて載置し、溶接、アンカー止め、リベット等の固定具３により適宜箇所を固定する。
【００１４】
この下地金属材２としては、図２に示すような、一定の空隙率を有する孔の空いたパンチングメタルａ、網目模様に空隙を有するエクスパンドメタルｂ、凹凸を有する異形金属板ｃ、表面に凹凸、節あるいはコイル状のねじりを有する異形鉄筋棒ｄ等が挙げられる。
【００１５】
前記下地金属材２の上に、ウレタン系あるいはエポキシ系のプライマー６を塗布してから、熱硬化性のエポキシ樹脂、ウレタン樹脂、ウレアウレタン樹脂、ポリウレア樹脂４等を塗布、スパッタリング、真空蒸着法等でコーティングする。
【００１６】
これらの樹脂４は、下地金属材２に開けられた孔５、凹部あるいは異形鉄筋棒を間隔を有して配置した各空隙内に浸入し、下地金属材２と一体化するので堅固な接着が保証され、まったく剥離等のおそれがない樹脂コーティング施工が行える。
【００１７】
塗布された樹脂コーティング層４は、下地材の孔５あるいは間隙に入り込むので、接着は平面だけでなく孔内壁にもおよび接着面積が増大し、さらに樹脂が収縮する場合には、異形金属板の孔に圧着するのでより接着性が増大し剥離のおそれが全くなくなる。
【００１８】
さらにまた、接着性の増大により下地金属材２と樹脂コーティング層４が一体化しているので衝撃に対しても剥離のおそれがなくなる。
【符号の説明】
【００１９】
１    施工対象（金属床面、覆工板）
２    下地金属材（ａ〜ｄ）
３    固定具
４    樹脂
５    孔、間隙
６    プライマー
【図１】
2020127907.tif 000003
【図２】
2020127907.tif 000004
【図３】
2020127907.tif 000005
【手続補正書】
【提出日】令和2年3月16日(2020.3.16)
【手続補正２】
【補正対象書類名】明細書
【補正対象項目名】０００１
【補正方法】変更
【補正の内容】
【０００１】
本発明は、車両荷台の金属製床あるいは覆工板への樹脂コーティング方法に関するものである。
【手続補正３】
【補正対象書類名】明細書
【補正対象項目名】０００６
【補正方法】変更
【補正の内容】
【０００６】
そこで、本発明は、樹脂の塗布を行う施工対象金属板の上に、凹凸を有する金属板、異形鉄筋バー等の下地金属材を重ねて配置して固定し、その上にポリウレア樹脂等からなるコーティング層を塗布することによって、樹脂コーティング層の剥離や、すべりを防止できるようにした。
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】変更
【補正の内容】
【０００９】
本発明は、樹脂の塗布を行う施工対象金属板の上に、凹凸を有する金属板、異形鉄筋バー等の別の下地金属材を重ねて固定し、その上にプライマーを塗布してから、ポリウレア樹脂等からなるコーティング層を塗布することで、樹脂コーティング層との接着性が強力となり、さらに樹脂が下地金属材の凹部あるいは間隙内に浸入するので樹脂の剥離がなくなる。
【手続補正６】
【補正対象書類名】明細書
【補正対象項目名】００１４
【補正方法】変更
【補正の内容】
【００１４】
この下地金属材２としては、図２に示すような、凹凸を有する異形金属板ｃ、表面に凹凸、節あるいはコイル状のねじりを有する異形鉄筋棒ｄ等が挙げられる。
【手続補正７】
【補正対象書類名】明細書
【補正対象項目名】００１６
【補正方法】変更
【補正の内容】
【００１６】
これらの樹脂４は、下地金属材２に形成された凹部あるいは異形鉄筋棒を間隔を有して配置した各間隙内に浸入し、下地金属材２と一体化するので堅固な接着が保証され、まったく剥離等のおそれがない樹脂コーティング施工が行える。
【手続補正８】
【補正対象書類名】明細書
【補正対象項目名】００１７
【補正方法】変更
【補正の内容】
【００１７】
塗布された樹脂コーティング層４は、下地材の間隙に入り込むので、接着は平面だけでなく凹部内壁にもおよび接着面積が増大し、さらに樹脂が収縮する場合には、異形金属板の間隙に圧着するのでより接着性が増大し剥離のおそれが全くなくなる。
【手続補正９】
【補正対象書類名】特許請求の範囲
【補正対象項目名】全文
【補正方法】変更
【補正の内容】
【特許請求の範囲】
【請求項１】
多数の凹凸を有する異形金属板、表面に凹凸、節あるいはコイル状のねじりを有する異形鉄筋棒である下地金属材２の上に、エポキシ樹脂、ウレタン樹脂、ウレアウレタン樹脂、ポリウレア樹脂等の樹脂コーティング材を、塗布、スパッタリング、真空蒸着等でコーティングし、
これらの樹脂４を、下地金属材２の表面に積層させるとともに、下地金属材２の空所、凹所あるいは間隙に浸入させ、下地金属材２と一体化させ、
前記下地金属材を、車両の荷台あるいは覆工板等の施工面１に固定する工程とからなる
堅固な接着が保証され、まったく剥離等のおそれのない車両の荷台あるいは覆工板等の樹脂コーティング施工方法。